(57)【要約】【課題】知らない送信元からの通信開始要求に対しては受信表示を行わず履歴に残さない通信装置及び通信方法を提供することを目的とする。【解決手段】通信開始要求を受信した場合、当該受信要求を送信した端末のＩＤ情報を記憶部６から検索し、一致するＩＤ情報があった場合は、そのＩＤ情報が通信拒否の設定になっているか否かを確認する。ここで一致するＩＤ情報が記憶部６になかった場合及び、一致したＩＤ情報に対し通信拒否の設定になっていた場合、制御部７はその場合に通信開始要求をユーザに通知するか否かの設定を確認し、通知しない設定であった場合、送信元に拒否通知を送信し、着信履歴を記憶せずに、通信を終了する。【選択図】図１
2007116260.tif 000002
【特許請求の範囲】
【請求項１】
管理装置を介して他の通信装置と通信する通信システムにおいて用いられる通信装置であって、
通信部と、
所定のＩＤ情報を記憶する記憶部と、
前記通信部により、通信開始のための情報の記載される通信開始要求を受信すると、当該情報を用いて前記管理装置に接続するよう前記通信部を制御する制御部と
を備え、
前記制御部は、前記通信開始要求を受信すると、当該通信開始要求に含まれるＩＤ情報が前記記憶部に記憶されているものである場合には前記通信部に前記管理装置に接続させないよう制御する通信拒否処理を行う
ことを特徴とする通信装置。
【請求項２】
前記制御部は、前記通信開始要求を受信すると、当該通信開始要求に含まれる当該通信開始要求の送信元を特定するＩＤ情報について、前記記憶部に記憶されるものであるかどうかを判断して前記通信拒否処理を行う
ことを特徴とする請求項１に記載の通信装置。
【請求項３】
前記制御部は、前記通信開始要求を受信すると、当該通信開始要求により前記管理装置への接続の指示される他の通信端末を特定するＩＤ情報について、前記記憶部に記憶されるものであるかどうかを判断して前記通信拒否処理を行う
ことを特徴とする請求項１または２に記載の通信装置。
【請求項４】
前記記憶部は、ＩＤ情報に関連付けて前記通信開始要求を受信したときに前記通信拒否処理を設定する／しないの少なくともいずれかを対応付けて記憶可能であって、
前記制御部は、前記通信開始要求に含まれるＩＤ情報が、前記記憶部にて前記通信拒否処理が設定される場合に前記通信拒否処理を行う
ことを特徴とする請求項１から３のいずれか一項に記載の通信装置。
【請求項５】
通知部を更に有し、
前記制御部は、前記通信部が前記通信開始要求を受信して、当該通信開始要求に基づく通信を前記通信拒否処理しない場合には前記通知部に前記通信開始要求の受信を通知させ、前記通信拒否処理する場合には前記通信開始要求の受信を通知させない
ことを特徴とする請求項１から４のいずれか一項に記載の通信装置。
【請求項６】
通知部を更に有し、
前記制御部は、所定の操作がなされると、前記通信拒否処理しない通信開始要求の受信履歴或いは当該通信開始要求に基づいたアクセス履歴を履歴情報として前記通知部にて通知させ、前記通信拒否処理した通信開始要求の受信履歴は通知させない
ことを特徴とする請求項１から５のいずれか一項に記載の通信装置。
【請求項７】
前記通信開始要求には、前記管理装置のインターネット上のアドレス及びログインに必要な情報が含まれ、
前記制御部は、前記通信部を前記アドレスを用いて前記管理装置に接続させ、前記ログインに必要な情報を用いてログインする
ことを特徴とする請求項１から６のいずれか一項に記載の通信装置。
【請求項８】
管理装置を介して他の通信装置と通信する通信システムにおいて用いられる通信方法であって、
前記通信開始要求を受信する第１の工程と、
通信開始のための情報の記載される通信開始要求を受信すると、当該情報を用いて前記管理装置に接続する第２の工程と、
当該通信開始要求に含まれる当該通信開始要求の送信元を特定するＩＤ情報について、記憶部に記憶されるものであるかどうかを判断する第３の工程と、
前記第３の工程において、前記ＩＤ情報が前記記憶部に記憶されると判断された場合に、通信拒否処理を行う第４の工程と
を有することを特徴とする通信方法。
【発明の詳細な説明】
【技術分野】
【０００１】
本発明は、複数の通信装置が互いに通信を行う通信システムにおいて用いられる通信装置及び通信方法に関する。
【背景技術】
【０００２】
近年、携帯電話等の通信端末による通信の態様が多様化しており、回線交換による従来の音声通話に加え、ＩＰ（Internet Protocol）網を利用したパケット通信など新たな態様の通信が行われている。例えば、通信端末間でリアルタイムに文字をやりとりすることで会話を行う「チャットメール」がある（特許文献１参照）。チャットメールは、予め登録しておいたメンバー間でグループを形成し、このグループ内でリアルタイムに文字などのデータ通信を行う「グループ通信」と呼ばれる通信態様の１つである。
【０００３】
最近注目を集めているグループ通信の１つに、ＰｏＣ（Push to Talk over Cellular）と呼ばれるものがある。ＰｏＣは、グループを形成する複数の通信端末同士がリアルタイム通信を行うことを可能にする技術である。ＰｏＣでは、送信側となる１つの通信端末から受信側となる複数の通信端末へ一斉にデータを送信することができる。
【特許文献１】特開２００３−１７４５２０号公報
【発明の開示】
【発明が解決しようとする課題】
【０００４】
しかし、ＰｏＣにおいては、送信側がアドレス情報のみでグループ通信の開始の通知、つまり通信開始要求を受信側に送信することができる。すなわち、アドレスさえ一致すれば、よく知らない相手にもグループ通信の通信開始要求を送信することができてしまい、送信側で送信成功するまで何度も送信先アドレスを変更して送信を繰り返すことにより、勧誘や宣伝等の目的で悪用される恐れがある、という不利益がある。
また、通信開始要求を受信した従来の端末は、グループ通信の成立／不成立に係わらず受信履歴を残すが、通信開始要求が複数回来た場合、複数の履歴が残り煩わしい、という不利益があった。
【０００５】
本発明は上述した不利益を解消するために、知らない送信元からの通信開始要求に対しては受信表示を行わず履歴に残さない通信装置及び通信方法を提供することを目的とする。
【課題を解決するための手段】
【０００６】
上述した不利益を解消するために、第１の観点の発明の通信装置は、管理装置を介して他の通信装置と通信する通信システムにおいて用いられる通信装置であって、通信部と、所定のＩＤ情報を記憶する記憶部と、前記通信部により、通信開始のための情報の記載される通信開始要求を受信すると、当該情報を用いて前記管理装置に接続するよう前記通信部を制御する制御部とを備え、前記制御部は、前記通信開始要求を受信すると、当該通信開始要求に含まれるＩＤ情報が前記記憶部に記憶されているものである場合には前記通信部に前記管理装置に接続させないよう制御する通信拒否処理を行う。
【０００７】
好適には、前記制御部は、前記通信開始要求を受信すると、当該通信開始要求に含まれる当該通信開始要求の送信元を特定するＩＤ情報について、前記記憶部に記憶されるものであるかどうかを判断して前記通信拒否処理を行う。
【０００８】
更に好適には、前記制御部は、前記通信開始要求を受信すると、当該通信開始要求により前記管理装置への接続の指示される他の通信端末を特定するＩＤ情報について、前記記憶部に記憶されるものであるかどうかを判断して前記通信拒否処理を行う。
【０００９】
更に好適には、前記記憶部は、ＩＤ情報に関連付けて前記通信開始要求を受信したときに前記通信拒否処理を設定する／しないの少なくともいずれかを対応付けて記憶可能であって、前記制御部は、前記通信開始要求に含まれるＩＤ情報が、前記記憶部にて前記通信拒否処理が設定される場合に前記通信拒否処理を行う。
【００１０】
更に好適には、第１の観点の発明の通信装置は、通知部を更に有し、前記制御部は、前記通信部が前記通信開始要求を受信して、当該通信開始要求に基づく通信を前記通信拒否処理しない場合には前記通知部に前記通信開始要求の受信を通知させ、前記通信拒否処理する場合には前記通信開始要求の受信を通知させない。
【００１１】
更に好適には、第１の観点の発明の通信装置は、通知部を更に有し、前記制御部は、所定の操作がなされると、前記通信拒否処理しない通信開始要求の受信履歴或いは当該通信開始要求に基づいたアクセス履歴を履歴情報として前記通知部にて通知させ、前記通信拒否処理した通信開始要求の受信履歴は通知させない。
【００１２】
更に好適には、前記通信開始要求には、前記管理装置のインターネット上のアドレス及びログインに必要な情報が含まれ、前記制御部は、前記通信部を前記アドレスを用いて前記管理装置に接続させ、前記ログインに必要な情報を用いてログインする。
【００１３】
第２の観点の発明の通信方法は、管理装置を介して他の通信装置と通信する通信システムにおいて用いられる通信方法であって、前記通信開始要求を受信する第１の工程と、通信開始のための情報の記載される通信開始要求を受信すると、当該情報を用いて前記管理装置に接続する第２の工程と、当該通信開始要求に含まれる当該通信開始要求の送信元を特定するＩＤ情報について、記憶部に記憶されるものであるかどうかを判断する第３の工程と、前記第３の工程において、前記ＩＤ情報が前記記憶部に記憶されると判断された場合に、通信拒否処理を行う第４の工程とを有する。
【発明の効果】
【００１４】
本発明によれば、知らない送信元からの通信開始要求に対しては受信表示を行わず履歴に残さない通信装置及び通信方法を提供することができる。
【発明を実施するための最良の形態】
【００１５】
以下、本発明の実施形態について説明する。
図１は、本実施形態の通信システムの構成の一例を示す図である。
本発明に係る通信システムは、例えば図１に示すように、３以上の通信端末（１００−１、１００−２、１００−３…）と、通信サーバ装置２００とを有する。
【００１６】
通信端末１００−ｉ（ｉは正整数を示す）は、例えば携帯電話機等の無線通信端末であり、基地局（３００−１、３００−２、３００−３…）を介して通信網３００に接続される。また、通信端末１００−ｉは、通信網３００に接続される通信サーバ装置２００の制御にしたがってデータ通信を行う。本実施形態では、一例として、ＰｏＣ（Push to Talk over Cellular）によるグループ通信を行うものとする。
なお、図１においてはｉの数は４個であるが、本発明はこれに限定されず、ｉは３以上の自然数であればどれでもよい。
【００１７】
このデータ通信において伝送されるデータには、例えば通話の音声や、画像、文字等のデータが含まれる。
【００１８】
本通信システムでは、３以上の通信端末（１００−１、１００−２、１００−３…）のうち通信サーバ装置２００によって送信を許可された１の通信端末が他の複数の通信端末へデータを送信することが可能である。データ送信を希望する通信端末１００−ｉは、通信サーバ装置２００に対して通信許可の要求を送信する。
【００１９】
また、通信端末１００−ｉは、後述するように、通信サーバ装置２００から提供される各種の情報を表示可能な表示部をそれぞれ有している。通信端末１００−ｉが通信サーバ装置２００に対して上述した通信許可を要求すると、通信システム内において現在通信許可を待っている通信端末に関する情報が通信サーバ装置２００から通信端末１００−ｉに送信される。通信端末１００−ｉは、通信サーバ装置２００からの情報を受信して表示部に表示する。
【００２０】
通信サーバ装置２００は、３以上の通信端末（１００−１、１００−２、１００−３…）によるＰｏＣのグループ通信を管理する装置である。
通信サーバ装置２００は、１の通信端末からＰｏＣによるグループ通信の開始要求を受けると、その要求に応じて相手方の通信端末を呼び出し、通信セッションを確立する。
【００２１】
通信セッションの確立後、通信サーバ装置２００は、１の通信端末から複数の通信端末へ送信されるデータを中継する。すなわち、送信側の通信端末から受信側の通信端末に宛てて送信されるデータを一旦受信し、これを受信側の通信端末へ転送する。
【００２２】
また、通信サーバ装置２００は、各通信端末１００−ｉの送信許可要求を受信し、各端末の送信許可要求を受け取った順にリスト化し、現在送信を行っている端末の送信が終わるたびにリスト上で次の端末の送信を順次許可する。
【００２３】
次に、本実施形態の通信端末１００−ｉについて説明する。
図２は、通信端末１００−ｉの構成の一例を示す図である。
通信端末１００−ｉは、例えば図２に示すように、アンテナ１と、通信部２と、キー入力部３と、音声処理部４と、表示部５と、記憶部６と、制御部７とを有する。
【００２４】
通信部２は、通信網３００の基地局（３００−１、３００−２…）との間の無線通信に関する処理を行う。例えば、制御部７から供給される送信データに所定の変調処理を施して無線信号に変換し、アンテナ１から送出する。また、アンテナ１において受信される基地局からの無線信号に所定の復調処理を施して受信データに変換し、制御部７に出力する。
通信端末１００−ｉは、この通信部２を介して通信網３００に接続された通信サーバ装置２００や他の端末と通信を行う。
【００２５】
キー入力部３は、通信端末にユーザの指示を入力するための装置である。例えば数字キー、文字キー、矢印キー、決定キーなど、各種の機能を持ったキーを有しており、これらのキーがユーザによって操作された場合に、その操作内容を電気信号に変換して制御部７に出力する。
【００２６】
また、キー入力部３には、ＰｏＣにおいて送信と受信を切り替えるためのキー（送信キー）が設けられている。ユーザがこの送信キーを操作すると、通信サーバ装置２００に対する送信許可要求が通信部２から送信される。
【００２７】
音声処理部４は、スピーカやマイクロフォンにおいて入出力される音声信号を処理する。すなわち、マイクロフォンから入力される音声信号に増幅、アナログ−デジタル変換、符号化等の信号処理を施し、デジタルの音声データに変換して制御部７に出力する。また、制御部７から供給される音声データに復号化、デジタル−アナログ変換、増幅等の信号処理を施し、アナログの音声信号に変換してスピーカに出力する。
【００２８】
表示部５は、例えば液晶表示パネルや有機ＥＬパネル等の表示デバイスを用いて構成されており、制御部７から供給されるデータに応じた画像を表示する。例えば、発信時における発信先の電話番号や、着信時における着信相手の電話番号、着信履歴、受信メールや送信メールの内容、待ち受け画面、日付、時刻、バッテリ残量等を表示する。
【００２９】
また、表示部５は、ＰｏＣによるグループ通信を行っている場合、通信サーバ装置２００から送られてくる各種の情報や通知を表示する。例えば、グループ通信に参加している通信端末の一覧や、送信許可を待っている通信端末の情報、１つの通信端末から他の端末へ発せられる要求やメッセージ、この要求やメッセージ等に対する別の通信端末の応答、他の端末からの通信開始要求の履歴等を表示する。
【００３０】
記憶部６は、制御部７の処理で利用される各種のデータや、制御部７の処理結果のデータを記憶する。例えば、制御部７のコンピュータ・プログラムや、その処理に用いる定数データ、処理過程で一時的に保持する必要がある変数データ、電話番号やメールアドレス等のＩＤ情報のアドレス帳を記憶する。
また、記憶部６は、グループ通信の開始要求を受信した場合に通信拒否処理を行うか否かをＩＤ情報に関連付けて記憶する。すなわち、例えば、あるＩＤ情報を有する通信端末からグループ通信の開始要求を受信したときに通信拒否を行うかどうかをＩＤ情報毎に予め設定し記憶しておく。この設定は、キー入力部３と表示部５とを介してユーザが事前に行っておくことができる。なお、例えば、ユーザが設定を行っていない状態では通信拒否処理を行わないと設定しておく。
【００３１】
なお、ＩＤ情報は、通信開始要求や、それ以外のメッセージ手段（Ｅｍａｉｌのヘッダ情報等）を参照することによって得ることができる。
【００３２】
制御部７は、通信端末の全体的な動作にかかわる種々の処理を行う。
例えばグループ通信に関する処理として、ＰｏＣにおける所定のプロトコルに従った音声通話やデータ通信が適切に行われるように、音声処理部４における音声の入出力、キー入力部３からの文字データの入力、表示部５における情報の表示、通信部２におけるデータの送受信等を制御する。
【００３３】
また、制御部７は、例えば、記憶部６に格納されたプログラム（オペレーティングシステム、アプリケーション等）に基づいて処理を実行するコンピュータを有しており、プログラムに従って上述した処理を実行する。
【００３４】
制御部７は、ＰｏＣのグループ通信の際に、通信部２からデータを送信する処理を行う。例えば、キー入力部３においてＰｏＣの送信キーが押されると、通信サーバ装置２００に対する送信許可の要求を通信部２から送信する。更に、記憶部６において通信拒否を行うように設定されたＩＤ情報を有する通信端末からグループ通信の開始要求を受信した場合には、通信部２に通信サーバ装置２００との接続を行わせない通信拒否処理を行う。
【００３５】
また、制御部７は、ＰｏＣのグループ通信の際に、通信部２においてデータを受信する処理を行う。例えば、上述した送信許可の要求を通信部２から送信した後、通信サーバ装置２００から送信される送信予約リスト情報（通信システム内で送信許可を待つ通信端末に関する情報等）を通信部２において受信する。
【００３６】
また、制御部７は、表示部５における情報の表示に係わる制御を行う。例えば、ＰｏＣによるグループ通信時に通信サーバ装置２００から受信した各種の情報を表示部５に表示する。
【００３７】
また、制御部７は、記憶部６に記憶されたＩＤ情報内に存在しないＩＤ情報を有する通信端末から通話開始要求を受信した場合に、その開始要求をユーザに通知するか否かを予め設定しておくことができる。すなわち、例えば、記憶部６に記憶されたＩＤ情報内にない電話番号からのグループ通信の通信開始要求を受信した場合に、通信開始要求を受信したことを表示部５に表示しユーザに通信開始要求を受けるか否かを選択させるか、或いは、通信開始要求を受信したことを通知せず、通信拒否の応答を送信元の通信端末に返すかを、予め設定しておくことができる。
なお、ユーザに通知する方法としては、表示部５に然るべき内容を表示するだけでなく、図２の音声処理部４に接続される図示しないスピーカによる音声通知や、バイブレータによる振動通知等がある。ユーザに通知する方法は、本実施形態では限定しない。
【００３８】
次に、図１に示す通信システムにおける、グループ通信時の処理の流れについて説明する。
例えば通信端末１００−１のユーザが、キー入力部３の操作によりＰｏＣのアプリケーションソフトウェア（以下、ＰｏＣアプリと略称する）を起動することにより、グループ通信のための処理が開始される。
【００３９】
ここで、ユーザはＰｏＣアプリ上にて、まずはグループ通信を行いたい相手（通信参加メンバー）として通信端末１００−２、１００−３、１００−４の電話番号等の識別情報（ＩＤ情報）を指定する。
次に制御部７は、ＰｏＣアプリの処理ルーチンに従い、通信部２に基地局３００−１を介してインターネット等の通信網３００上のサーバである通信サーバ装置２００を呼び出して接続させるよう制御し、まずはグループ通信の開始要求の送信を含む通信を、自らの電話番号等のＩＤ情報を連絡した上で開始する。
【００４０】
通信サーバ装置２００は、通信開始端末である通信端末１００−１からＰｏＣによるグループ通信の開始要求を受けて通信端末１００−１との通信が開始されると、通信端末１００−１に通信参加メンバーのＩＤ情報についても要求し、送信させてこれを受信する。このメンバーに関してのＩＤ情報と通信開始端末１００−１のＩＤ情報とから、通信サーバ装置２００は参加状態リストとしてグループ通信に関する管理テーブルを作成すると共に、通信端末ぞれぞれの互いのデータの送受信や発言権の付与等といったグループ通信を制御するためのサイトを通信サーバ装置２００上に設ける。なお、上述したグループ通信制御のためのサイトは、通信サーバ装置２００以外のサーバ上に設けられてもよい。
【００４１】
通信開始端末１００−１の記憶部６にも管理テーブルが記憶されると、通信サーバ装置２００はグループ通信のメンバー全員に通信開始要求を送信する。
ここで、通信開始要求とは、グループ通信や制御するためのサイトが設けられたことの通知であり、サイトの通信網３００上のアドレスや、当該サイトにログインするためのＩＤ情報等、グループ通信参加のために必要な各種パラメータを含み、先の管理テーブルに記載されたメンバーのＩＤ情報等に基づいて送信する。
【００４２】
その後、通信サーバ装置２００は、通信開始要求を送信したメンバーからの応答を監視し、これらメンバーからの応答があれば、その都度通信開始端末１００−１に通知し、その応答内容により（参加フラグの有無等により）記憶部６内及び通信サーバ装置２００の有する参加状況リストの参加状況を参加（ＩＮ）または不参加（ＯＵＴ）に設定する。
【００４３】
なお、この通信開始要求に関しては、通信サーバ装置２００から他のメンバーの通信端末１００−２、１００−３、１００−４に対して送信してもよいが、通信開始端末１００−１から各メンバーのアドレス宛に送信してもよい。また、メンバーからの応答や、グループ通信での発言等は通信サーバ装置２００を経由して管理され、通信開始端末１００−１に届けられる。
【００４４】
次にグループ通信を開始した後の通信端末の処理（通常のＰｏＣ処理）を説明する。
一の通信端末、例えば通信端末１００−３の所有者がキー入力部３にある通話キー（Ｔａｌｋキー）を押すと、この通信端末１００−３から通信サーバ装置２００に対し発言要求が行われる。通信サーバ装置２００は他に通話キーを押圧しているメンバーがいれば、拒否信号を通信端末１００−３に送信する。通信端末１００−３は、拒否信号を受信して、例えばエラー音等を鳴動させ、ユーザに発言不可を通知する。他に通話キーを押しているメンバーがいなければ通信端末１００−３の発言を許可し、通信端末１００−３からのデータを受信し、この受信したデータを他の参加メンバー全てに対して送信する。このような発言の制御を行うことでグループ通信は行われる。
【００４５】
なお、上述したグループ通信の通信開始要求に対する各メンバーからの参加許可や不参加といった応答の受信は、上述したようなグループ通信中においても適宜受付可能であり、受信した場合はその都度、通信開始端末１００−１は管理テーブルのログイン状況を書き換える。
【００４６】
次に、本実施形態の通信開始要求を受信した際の通信端末１００−ｉの動作例について説明する。
図３は、本実施形態の通信端末１００−ｉの動作例を示すフローチャートである。
ステップＳＴ１：
通信部２が、自端末宛ての呼び出しを通信網３００から受信し、この呼び出しが通信サーバ装置２００からのＰｏＣ通信の通信開始要求であった場合はＳＴ２に進み、その他の呼び出しであった場合は従来どおりであるため省略する。
なお、通信サーバ装置２００経由で他の通信端末装置から通信開始要求が送付される本実施形態のようなシステムの場合は、受信した呼び出しのそうふもとを参照したり、受信した呼び出しの内容に通信サーバ装置２００へのログインに用いるパラメータが記載されているか、等の多様な手法により本発明で言う通信開始要求なのか、通常の回線交換による音声通話目的の着信なのか、メール受信なのかを判断すればよい。
ステップＳＴ２：
制御部７は、ステップＳＴ１において通信部２が受信した通信開始要求に応じて、記憶部６に記憶されたＰｏＣアプリを読み出して起動し、ＰｏＣ関連の処理を開始する。なお、このステップではまだ通信開始要求を受信したこともＰｏＣ処理を開始したこともユーザに通知しない（表示部５による通知を行わない）。
【００４７】
ステップＳＴ３：
制御部７は、ステップＳＴ１において通信部２が受信した通信開始要求に含まれる、通信開始端末１００−１のＩＤ情報（電話番号等）を取得する。
ステップＳＴ４：
制御部７は、ステップＳＴ３で取得した通信開始端末１００−１のＩＤ情報で記憶部６内を検索する。記憶部６は、例えば、名前、電話番号及びＥｍａｉｌアドレスがＩＤ情報として関連付けられて記憶しているので、検索の方法としては、通信開始端末１００−１から受信したＩＤ情報のうち、例えば名前を使用して記憶部６を検索し、一致するＩＤ情報を抽出する方法がある。一致する名前が複数存在した場合には、例えば、受信したＩＤ情報の内の他のＩＤ情報、すなわち電話番号やＥｍａｉｌアドレス等を使用して再度検索をかけて絞り込む。
【００４８】
ステップＳＴ５：
制御部７は、ステップＳＴ４において検索を行った結果、ステップＳＴ３で受信した通信開始端末１００−１のＩＤ情報と一致するＩＤ情報が記憶部６内にあった場合はステップＳＴ６へ、なかった場合はステップＳＴ１０へ進む。
ステップＳＴ６：
制御部７は、ステップＳＴ５において一致した記憶部６内のＩＤ情報を参照し、通信拒否処理を行うように関連付けられて記憶部６に記憶されていた場合はステップＳＴ１０に、通信拒否処理を行わないように関連付けられて記憶されていた場合はステップＳＴ７に進む。
【００４９】
ステップＳＴ７：
制御部７は、ユーザにグループ通信の通信開始要求を受信したことを通知する。例えば、表示部５にグループ通話開始要求受信通知画面、すなわち、グループ通信の通信開始要求を受信したこと、通信開始端末の情報（名前、電話番号等）、参加者リスト等を表示する。或いは振動や音声で通信開始要求を受信したことを通知する。
ステップＳＴ８：
制御部７は、ユーザがグループ通信に参加するか否かをキー入力部３等によるユーザの入力を通して判断し、参加すると判断した場合はステップＳＴ９へ、参加しないと判断した場合はステップＳＴ１３へ進む。
また、後述するステップＳＴ１０においてグループ通信を拒否する設定になっていたり、記憶部６内にないＩＤ情報からの通信開始要求であってもグループ通信開始要求の受信を表示する設定になっていた場合には、ユーザが「参加する」という入力を所定時間内に行わない限りは通信拒否通知を自動送信する。
【００５０】
ステップＳＴ９：
制御部７は、通信部２に通信開始端末１００−１への参加通知（通信開始通知）を送信させる。この場合、制御部７は、記憶部６から読み出したＰｏＣアプリに通常のＰｏＣ通信処理を行わせる。通常のＰｏＣ通話処理については上述したとおりであるので、ここでは省略する。
ステップＳＴ１０：
制御部７は、ステップＳＴ４における記憶部６の検索の結果、通信開始端末１００−１からのＩＤ情報に一致するＩＤ情報がない場合、或いは記憶部６内にＩＤ情報があったが、そのＩＤ情報は通信拒否処理を行うように関連付けられて記憶部６に記憶されていた場合は、通信拒否に設定されているＩＤ情報を有する通信端末からの通信開始要求に対する処理の設定を確認し、ユーザに通知する設定であった場合はステップＳＴ７に、通知しない設定であった場合はステップＳＴ１１に進む。
すなわち、たとえ記憶部６内にない相手からのグループ通信開始の要求、もしくは記憶部６内にある相手でありなおかつグループ通信自体は拒否するよう記憶部６に記憶していたとしても、一応はグループ通信開始要求を受信しているということを表示させる、という設定になっているか否かを確認する。また、グループ通信開始要求に対してたとえ不参加通知（通信拒否通知）を送信するときでも、制御部７の処理能力上、バックグラウンドで送信しても制御部７の処理が重くなったり、操作中の処理が中断されたりしてユーザが驚いたりすることが無い。
【００５１】
ステップＳＴ１１：
制御部７は、（グループ通信の通信開始要求の受信を表示・鳴動させること無く）通信部２に通信開始端末１００−１で不参加通知（通信拒否通知）を送信させ、通信サーバ装置２００との通信を切断する。このとき、もしユーザによって何らかの他のアプリケーション等の操作が行われている状態であったとしても、操作中のアプリケーションを終了することなく不参加通知を送信させることが好ましい。これにより、ユーザとしては通信を行うつもりのない相手からの通信開始要求により操作が妨げられて不快な思いをすることがなくなる。
また、後述するステップＳＴ１４では、通信に関する履歴を残すよう記憶するが、本ステップＳＴ１１においては、履歴を記録することが無いことが好ましい。すなわち、履歴を残さないことにより、ユーザには通信を希望しない相手から、通信要求を希望したことにまったく気を遣わせないことが出来る。
ステップＳＴ１２：
制御部７は、ＰｏＣアプリを終了させ、通常の待ち受け状態に戻る。
【００５２】
ステップＳＴ１３：
制御部７は、通信部２に通信開始端末へ不参加通知（通信拒否通知）を送信させ、通信サーバ装置２００との通信を切断する。
ステップＳＴ１４：
制御部７は、通信開始端末のＩＤ情報、開始要求の受信時刻等のグループ通信の開始要求履歴情報を記憶部６に記憶させ、表示部５にユーザに開始要求受信が有ったことを知らせる通知画面を表示させる。
【００５３】
ステップＳＴ１５：
制御部７は、ＰｏＣアプリを終了させ、通常の待ち受け状態に戻る。
【００５４】
すなわち、本実施形態の通信端末１００−ｉの制御部７は、記憶部６内にないＩＤ情報を有する通信開始端末、或いは、ＩＤ情報があっても通信拒否するように関連付けられて記憶部６に記憶されている通信開始端末からの通信開始要求を受信した場合、通信拒否を行うように判断する（ステップＳＴ５及び６）。
更に制御部７は、予め設定された、通信拒否をすると判断されたＩＤ情報を有する通信開始端末からの通信開始要求があった場合に、通信開始要求をユーザに通知する通知画面を表示部５にさせるか否かの設定を参照して、通信開始要求をユーザに通知するか否かを判断する（ステップＳＴ１０）。
本実施形態の通信端末１００−ｉでは、制御部７の判断条件をこの２つに単純化している。
【００５５】
以上説明したように、本実施形態の通信端末１００−ｉによれば、記憶部６に電話番号等のＩＤ情報を記憶する際に、そのＩＤ情報に対し通信拒否処理を行うか否かの情報を関連付けて記憶させる。すなわち、あるＩＤ情報を有する通信端末から通信開始要求を受信した場合に通信を行うか否かを予め設定しておくことができ、通信を行わない場合は通信開始要求を受信したことをユーザに通知しないため、ユーザは知らない相手からのグループ通信開始要求を意識せずに拒否することができる。
また、本実施形態の通信端末１００−ｉによれば、予め記憶部６内にないＩＤ情報からの通信開始要求を受信した場合に通信を行うか否かを予め設定しておくことができ、通信を行わない場合は通信開始要求を受信したことをユーザに通知しない。すなわち、記憶部６内にないＩＤ情報からの通信開始要求に対して通信を行わないように設定しておけば、ユーザは知らない相手からのグループ通信開始要求を意識せずに拒否することができる。
また、本実施形態の通信端末１００−ｉによれば、予め記憶部６内にないＩＤ情報からの通信開始要求を通知しない設定においては、グループ通信開始要求の履歴を記憶しないため、たくさんのグループ通信開始要求の履歴が残る煩わしさを解消することができる。
また、通信を希望しない相手をどのような判断基準で選別するか、ユーザごとに個人差がある。自分の知っている相手からだけを通信許可したいユーザもいれば、特定の人間以外は通信許可するユーザもいる。本実施形態の通信端末１００−ｉは、このような個人差のあるニーズにも対応することが出来る。従って、上述したように、知らない相手・通信拒否設定の相手からの通信開始要求であっても通知させるかさせないかをあらかじめ設定しておけることにより、このような個人差のあるユーザのニーズに細かく対応することが可能となる。
【００５６】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００５７】
上述した実施形態では、ＰｏＣによるグループ通信に本発明を適用する例を説明しているが、本発明はこれには限定されず、１対多のデータ通信を行う他の種々のグループ通信にも適用可能である。
【００５８】
通信端末の制御部７の処理は、全てをコンピュータによってプログラムに基づいて実行してもよいし、その少なくとも一部をハードウェアで実行してもよい。
【００５９】
本発明の通信端末は携帯電話機に限定されない。例えば、ＰＤＡ（personal digital assistants）や携帯型ゲーム機等、通信機能を有する端末装置に広く本発明は適用可能である。
【図面の簡単な説明】
【００６０】
【図１】図１は、本実施形態の通信システムの構成の一例を示す図である
【図２】図２は、通信端末１００−ｉの構成の一例を示す図である。
【図３】図３は、本実施形態の通信端末１００−ｉの動作例を示すフローチャートである。
【符号の説明】
【００６１】
１…アンテナ、２…通信部、３…キー入力部、４…音声処理部、５…表示部、６…記憶部、７…制御部、１００…通信端末、２００…通信サーバ装置、３００…通信網
【図１】
2007116260.tif 000003
【図２】
2007116260.tif 000004
【図３】
2007116260.tif 000005